(57)【要約】【課題】手指だけで簡単に外蓋から取外し可能にする。【解決手段】有底円筒状の本体部１１と、本体部１１の底面１２に形成する引起し可能な指掛け用の操作部１３とを設ける。  操作部１３は、めくり上げて内側に指を掛け、外蓋から簡単に取り外すことができる。【選択図】図１
2005041526.tif 000002
【特許請求の範囲】
【請求項１】
乾燥剤を収納する有底円筒状の本体部と、該本体部の底面に形成する引起し可能な操作部とを備えてなり、該操作部は、前記底面の一部を外側から覆い、前記底面に形成する通気用の開口部を全面開放する板状に形成することを特徴とする乾燥容器の内蓋。
【請求項２】
前記操作部は、指掛け用のフック状に形成することを特徴とする請求項１記載の乾燥容器の内蓋。
【請求項３】
前記操作部は、摘み用の舌片状に形成することを特徴とする請求項１記載の乾燥容器の内蓋。
【請求項４】
前記操作部は、前記底面との間に隙間を形成することを特徴とする請求項１ないし請求項３のいずれか記載の乾燥容器の内蓋。
【請求項５】
前記操作部は、引起し時に破断する保持部を介して前記底面と平行に保持することを特徴とする請求項４記載の乾燥容器の内蓋。
【請求項６】
前記操作部の外縁は、前記本体部の外周と実質的に一致することを特徴とする請求項１ないし請求項５のいずれか記載の乾燥容器の内蓋。
【請求項７】
前記本体部は、前記操作部の基端側に延長するリブと、前記操作部とを介して全周を同一高さに形成することを特徴とする請求項１ないし請求項６のいずれか記載の乾燥容器の内蓋。
【発明の詳細な説明】
【技術分野】
【０００１】
この発明は、乾燥剤を収納して容器内を良好な乾燥雰囲気に維持することができる乾燥容器の内蓋に関する。
【背景技術】
【０００２】
乾燥剤を収納する内蓋を外蓋の天面に装着して構成する蓋付きの乾燥容器が知られている。
【０００３】
従来の乾燥容器の内蓋は、内部に乾燥剤を収納し得るように有底円筒状に形成し、容器の口部に対して外蓋と一体に着脱することができる。なお、空の容器を廃棄するとき、外蓋、内蓋と、乾燥剤とを適切に分別処理するために、内蓋の底面に取外し用の摘み部を設け、摘み部を摘んで内蓋を外蓋から取り外し、内部の乾燥剤を取り出すものが提案されている。ただし、摘み部は、内蓋の底面に突起状に形成し、または、底面の一部に対して切起し可能な舌片状に形成することができる。
【特許文献１】特開２００２−３２６６５６号公報
【発明の開示】
【発明が解決しようとする課題】
【０００４】
かかる従来技術によるときは、内蓋の底面に突起状の摘み部を形成しても、内蓋を外蓋から取り外すに必要十分な力で摘み部を摘むことが難しく、ペンチなどの補助工具を使用しなければならないという不便があった。また、切起し可能な舌片状の摘み部も、切起し操作の最初の手掛りを作るために、先端が尖ったマイナスドライバや錐などの補助工具が必要である上、摘み部を摘んでも、必要十分な力を加えることが容易でないという問題があった。
【０００５】
そこで、この発明の目的は、かかる従来技術の問題に鑑み、引起し可能な操作部を底面に設けることによって、手指だけで簡単に外蓋から取り外すことができる乾燥容器の内蓋を提供することにある。
【課題を解決するための手段】
【０００６】
かかる目的を達成するためのこの発明の構成は、乾燥剤を収納する有底円筒状の本体部と、本体部の底面に形成する引起し可能な操作部とを備えてなり、操作部は、底面の一部を外側から覆い、底面に形成する通気用の開口部を全面開放する板状に形成することをその要旨とする。
【０００７】
なお、操作部は、指掛け用のフック状または摘み用の舌片状に形成することができる。
【０００８】
また、操作部は、底面との間に隙間を形成してもよく、引起し時に破断する保持部を介して底面と平行に保持してもよい。
【０００９】
さらに、操作部の外縁は、本体部の外周と実質的に一致させることができ、本体部は、操作部の基端側に延長するリブと、操作部とを介して全周を同一高さに形成することができる。
【発明の効果】
【００１０】
かかる発明の構成によるときは、本体部の底面に形成する操作部は、底面に形成する通気用の開口部を除き、十分大きく形成することが容易であるから、内蓋を外蓋から取り外すに要する十分な力を加えることができ、ペンチなどの補助工具を使用する必要がない。すなわち、手指だけで内蓋を外蓋から容易に取り外し、外蓋、内蓋、乾燥剤を適切に分別処理することができる。なお、操作部は、底面の通気用の開口部を塞がない限り、指掛け用のフック状または摘み用の舌片状に形成することができ、前者によれば、指を掛けて引くことにより、内蓋の取外し操作が一層容易である。
【００１１】
なお、操作部は、基端側の連結部を介して本体部の底面に連結することにより、底面に対して十分強力に連結することができ、引起し側の先端部分に力を加えても、底面から不用意に分離してしまうおそれがない。
【００１２】
操作部は、底面との間に隙間を形成することにより、手指によって一層容易に引き起こすことが可能である。また、操作部は、引起し時に破断する保持部を設けることにより、引起し前に不用意にめくれ上ったりするおそれがない。なお、操作部は、引起し側の表面に滑り止めを形成することにより、引起し時に摘み易く、舌片状としても十分な力を加え易い上、快適な手触りを得ることができる。
【００１３】
操作部の外縁を本体部の外周に一致させれば、操作部のサイズを最大にすることができ、指で摘み、または指を差し入れるに要する大面積を一層容易に実現することができる。なお、操作部の外縁は、殊にその先端部分において、本体部の外周から部分的に突出させてもよい。
【００１４】
本体部は、全周を同一高さに形成することにより、たとえば上向きにして乾燥剤を収納するに際し、ベルトコンベヤ上などに安定に支持することが可能である。
【発明の実施の形態】
【００１５】
以下、図面を以って発明の実施の形態を説明する。
【００１６】
乾燥容器の内蓋１０は、有底円筒状の本体部１１の底面１２の外側に操作部１３を形成してなる（図１、図２）。ただし、図示の操作部１３は、指掛け用のフック状に形成されている。
【００１７】
内蓋１０は、乾燥剤Ｋを収納して、外蓋２０の天面に取外し可能に装着して使用する。内蓋１０は、たとえば低密度ポリエチレンのような適当な弾性を有するプラスチック材料により一体成形されている。
【００１８】
本体部１１の上端には、外フランジ１４が形成されている。外フランジ１４の先端部分は、上面側を斜めに切除して薄肉の鍔部１４ａに形成されており、鍔部１４ａの内側には、外フランジ１４の上面、下面に対称的に突出する小さなリブ１４ｂ、１４ｂが形成されている。なお、本体部１１の内周には、周方向のリブ１１ａ、１１ａが上下２段に形成されている。
【００１９】
底面１２の中心部には、通気用の開口部１２ａ、１２ａ…が形成されている。開口部１２ａ、１２ａ…は、十字状に交差する支持枝１２ｂ、１２ｂによって円形孔を４等分されており、支持枝１２ｂ、１２ｂの交差部分には、成形用のゲート１２ｃが形成されている。
【００２０】
開口部１２ａ、１２ａ…は、通気性のメッシュ部材１２ｄによって内側から閉じられている。メッシュ部材１２ｄは、たとえばポリエステル繊維、ポリプロピレン繊維、ナイロン繊維などの長繊維不織布や、同様の材料からなるメッシュクロス、和紙などであって、内蓋１０をインジェクション成形する際に、開閉する金型のキャビティ内の一方の壁面に貼り付けておくことにより、溶融樹脂の射出と同時に内蓋１０と一体にインサート成形することができる。
【００２１】
操作部１３は、底面１２の約半分を外側から覆うようにして、開口部１２ａ、１２ａ…を部分的に囲み、開口部１２ａ、１２ａ…を全面開放する湾曲板状に形成されている。
【００２２】
操作部１３は、外縁が本体部１１の外周に一致する半円弧状に形成されている。操作部１３の基端側は、底面１２の径に平行な連結部１３ａ、１３ａを介して底面１２に連結されている（図１、図３）。操作部１３は、断面三角形の小さな保持部１３ｂ、１３ｂを中間部分に形成することにより、底面１２に対し、隙間ｇを介して平行に保持されている。なお、保持部１３ｂ、１３ｂは、それぞれ一辺を操作部１３の内側に沿わせて配置されており、操作部１３は、保持部１３ｂ、１３ｂを破断することにより上方に引起し可能である（図１の二点鎖線）。
【００２３】
操作部１３の引起し側の先端部分は、連結部１３ａ、１３ａに平行な直線部分を内側に設けることによって幅を拡大させ、幅広の先端部分の表面には、平行リブ状の滑り止め１３ｃ、１３ｃ…が形成されている。また、底面１２の操作部１３を設けない側には、操作部１３の基端側に延長するリブ１２ｅが底面１２の外周に沿って形成されており、リブ１２ｅは、操作部１３の表面と同一高さになっている。すなわち、本体部１１は、リブ１２ｅ、操作部１３を介し、全周が同一高さに仕上げられている。
【００２４】
外蓋２０は、内蓋１０より僅かに深い浅皿状に形成されている（図２）。外蓋２０の外周には、縦方向の滑り止め２１、２１…が形成され、内周には、雌ねじ２２と、雌ねじ２２の上方のリング状の係合リブ２３とが形成されている。
【００２５】
内蓋１０は、本体部１１に乾燥剤Ｋを収納し、外蓋２０内に平行に押し込むことにより、外蓋２０の天面に取外し可能に装着することができる（図４）。このとき、内蓋１０の外フランジ１４は、先端の薄肉の鍔部１４ａが外蓋２０の係合リブ２３を乗り越えることによって内蓋１０を固定し、乾燥剤Ｋは、外蓋２０の天面と内蓋１０の底面１２とに挟まれるようにして保持される。
【００２６】
そこで、内蓋１０付きの外蓋２０を容器３０の口部３１に装着すれば、乾燥剤Ｋにより、容器３０の内部を良好な乾燥雰囲気に維持することができる。乾燥剤Ｋは、内蓋１０の開口部１２ａ、１２ａ…に付設する通気性のメッシュ部材１２ｄを介し、容器３０内の湿気を吸収することができるからである。なお、容器３０の口部３１には、外蓋２０の雌ねじ２２に適合する雄ねじ３２が形成されており、外蓋２０は、内蓋１０の外フランジ１４をパッキンとして口部３１を密封することができる。ただし、図４において、外フランジ１４の上面、下面のリブ１４ｂ、１４ｂは、外蓋２０の天面、口部３１の先端面に挟まれて潰れるため、図示されていない。外蓋２０は、雌ねじ２２、雄ねじ３２を介し、内蓋１０、内蓋１０内の乾燥剤Ｋとともに容器３０の口部３１に対して自在に着脱することができる。
【００２７】
外蓋２０から内蓋１０を取り外し、乾燥剤Ｋを取り出すときは、内蓋１０とともに外蓋２０を容器３０の口部３１から取り外し、内蓋１０の操作部１３の先端部分の外縁に指を掛け、操作部１３を上方にめくり上げる方向に力を加える（図４の矢印Ａ1 方向）。保持部１３ｂ、１３ｂが破断して操作部１３がめくり上ったら（同図の二点鎖線）、操作部１３の内側に指を掛け（同図の矢印Ａ2 方向）、そのまま操作部１３を引き（同図の矢印Ａ3 方向）、外フランジ１４の鍔部１４ａを係合リブ２３から引き外すようにして内蓋１０を外蓋２０から分離させ、内部の乾燥剤Ｋを取り出すことができる。
【００２８】
なお、乾燥剤Ｋを収納して内蓋１０を外蓋２０に装着するとき、外フランジ１４の下面にリング状のパッキン２４を添えてもよい（図５）。ただし、パッキン２４は、外フランジ１４の鍔部１４ａとともに外蓋２０の係合リブ２３を乗り越えさせるものとする。
【他の実施の形態】
【００２９】
操作部１３の外縁の先端部分には、本体部１１の外周から突出する掛り部１３ｄを形成してもよい（図６）。掛り部１３ｄは、操作部１３を上方にめくり上げる方向に力を加えるとき、隙間ｇが最小であっても指が掛け易く、操作部１３を一層容易にめくり上げることができる。すなわち、操作部１３の外縁は、本体部１１から部分的に突出していてもよく、本体部１１の外周と実質的に一致しておればよい。
【００３０】
なお、図６において、操作部１３の内側は、本体部１１、底面１２と同心の切欠円弧状に形成されており、操作部１３は、開口部１２ａ、１２ａ…の大部分を囲むように形成されている。また、操作部１３の基端側の連結部１３ａ、１３ａは、底面１２の中心から大きく外れた位置に形成されている。そこで、連結部１３ａ、１３ａは、操作部１３の内側に接する直線状に形成し（図７）、底面１２にリブ１２ｅを作らないようにしてもよい。ちなみに、図７の操作部１３は、開口部１２ａ、１２ａ…の全部を囲むように形成され、連結部１３ａ、１３ａを示す点線の左側の半月部分の全体が底面１２に連結されている。
【００３１】
操作部１３は、底面１２に対し、共通の連結部１３ａ、１３ａを介して一対を対称的に設けることができる（図８）。操作部１３、１３は、双方を上方にめくり上げ（同図の二点鎖線）、底面１２上に重ねるようにして垂直に起立させることにより、双方の内側に指を掛けることができる。
【００３２】
また、操作部１３は、指掛け用のフック状に形成するに代えて、摘み用の舌片状に形成してもよい（図９）。操作部１３は、滑り止め１３ｃ、１３ｃ…付きの半月形の板状に形成され、基端側の連結部１３ａを介して上方にめくり上げ（同図の二点鎖線）、それを摘んで引くことにより、内蓋１０を外蓋２０から取り外すことができる。なお、図９において、開口部１２ａ、１２ａ…は、操作部１３によって覆われることがないように、操作部１３側が小さく形成されている。すなわち、操作部１３、開口部１２ａ、１２ａ…は、前者が後者を覆うことなく全面開放するように、両者の形状、位置関係を設定するものとする。
【図面の簡単な説明】
【００３３】
【図１】全体構成斜視説明図
【図２】使用状態分解斜視図
【図３】図１のＸ−Ｘ線矢視相当断面図
【図４】使用状態縦断面図
【図５】他の実施の形態を示す図４相当の要部拡大図
【図６】他の実施の形態を示す底面図（１）
【図７】他の実施の形態を示す底面図（２）
【図８】他の実施の形態を示す図１相当図（１）
【図９】他の実施の形態を示す図１相当図（２）
【符号の説明】
【００３４】
Ｋ…乾燥剤
ｇ…隙間
１０…内蓋
１１…本体部
１２…底面
１２ａ…開口部
１２ｅ…リブ
１３…操作部
１３ｂ…保持部
特許出願人          伸晃化学株式会社
代理人  弁理士        松  田  忠  秋
【図１】
2005041526.tif 000003
【図２】
2005041526.tif 000004
【図３】
2005041526.tif 000005
【図４】
2005041526.tif 000006
【図５】
2005041526.tif 000007
【図６】
2005041526.tif 000008
【図７】
2005041526.tif 000009
【図８】
2005041526.tif 000010
【図９】
2005041526.tif 000011